(57)【要約】      （修正有）【課題】ノートブック型パソコンは、表示スクリーンを有し、表示スクリーンは、表示している間、僅かな明るさを提供することができるが、表示スクリーンにより提供される明るさは、キーボード全体を照らすのに充分ではない。使用者が誤った文字を入力するか誤った命令を入力しないよう、使い勝手の良い電子装置を提供する。【解決手段】キーボードモジュール１１０、及びこのキーボードモジュール上に配置した光源モジュール１２０を含む電子装置１００を提供する。光源モジュールの複数の光源１２２がキーボードモジュールの表面外へ突出して、キーボードモジュールを照らす。【選択図】図１
2011070624.tif 000002
【特許請求の範囲】
【請求項１】
キーボードモジュールと、
前記キーボードモジュール上に配置された光源モジュールとを備え、
前記光源モジュールの複数の光源が、前記キーボードモジュールの表面の外へ突出して、前記キーボードモジュールを照らすことを特徴とする電子装置。
【請求項２】
前記光源が発光ダイオード（LED）であることを特徴とする請求項１に記載の電子装置。
【請求項３】
前記キーボードモジュールがケーシングを有し、前記ケーシングが前記表面を有することを特徴とする請求項１に記載の電子装置。
【請求項４】
前記光源モジュールが、
前記ケーシングに接続されたアセンブリ部と、
前記アセンブリ部上に配置された前記光源と
を備えていることを特徴とする請求項３に記載の電子装置。
【請求項５】
前記アセンブリ部の断面が「Γ」字形を有し、前記アセンブリ部は前記ケーシングに対して回転可能であり、これにより、前記光源が前記ケーシングの表面より高くなることを特徴とする請求項４に記載の電子装置。
【請求項６】
前記アセンブリ部の断面が円形を有するか、前記アセンブリ部の一部の断面が弧形を有し、前記アセンブリ部の両端が前記ケーシングに枢結され、前記円形又は前記弧形の一部分が前記ケーシングの表面の外へ突出し、前記光源が、前記アセンブリ部の前記円形又は弧形において前記ケーシングの外へ突出している部分に配置されていることを特徴とする請求項４に記載の電子装置。
【請求項７】
前記アセンブリ部が柱状であり、前記柱状の軸方向は、前記ケーシングの法線方向と平行であることを特徴とする請求項４に記載の電子装置。
【請求項８】
前記キーボードモジュールに枢結され、前記キーボードモジュールに対して開閉することができるディスプレイを更に備えていることを特徴とする請求項４に記載の電子装置。
【請求項９】
前記ディスプレイが、前記アセンブリ部に対応して配置された収容スロットを具え、前記ディスプレイが前記キーボードモジュールに対して閉じられると、前記収容スロットを用いて前記アセンブリ部が収容されることを特徴とする請求項８に記載の電子装置。
【発明の詳細な説明】
【技術分野】
【０００１】
本発明は、電子装置に関するものである。特に、使い勝手の良い電子装置に関するものである。
【背景技術】
【０００２】
電子装置（例えば、ノートブック型パソコン）を夜間または暗い場所で使用するとき、使用者は恐らく、薄暗い外部環境によってキーボードモジュールのキーを識別することができず、入力の不便性や誤った命令の入力を招くことがある。
【０００３】
ノートブック型パソコンは、表示スクリーンを有し、表示スクリーンは、表示している間、僅かな明るさを提供することができるが、表示スクリーンにより提供される明るさは、キーボード全体を照らすのに充分ではなく、そのため、使用者が誤った文字を入力するか誤った命令を入力する問題はまだ回避不可能であり、使用者にとって大きな不便を生じさせ得る。
【発明の概要】
【発明が解決しようとする課題】
【０００４】
本発明の目的は、使い勝手の良い電子装置を提供することにある。
【課題を解決するための手段】
【０００５】
本発明は、キーボードモジュール、及びこのキーボードモジュール上に配置された光源モジュールを含む電子装置を提供し、この光源モジュールの複数の光源がキーボードモジュールの表面外に突出してキーボードモジュールを照らす。
【０００６】
本発明の好適例では、上記光源は発光ダイオード（LED）である。
【０００７】
本発明の好適例では、上記キーボードモジュールはケーシングを有し、このケーシングは表面を有する。
【０００８】
本発明の好適例では、上記光源モジュールは、上記ケーシングと上記光源に接続されたアセンブリ部を含み、上記光源はこのアセンブリ部上に配置されている。
【０００９】
本発明の好適例では、上記アセンブリ部の断面は「Γ」字形を有し、上記アセンブリ部は上記ケーシングに対して回転可能であり、これにより上記光源は上記ケーシングの表面より高くなる。
【００１０】
本発明の好適例では、上記アセンブリ部の断面は円形を有するか、あるいは上記アセンブリ部の断面の一部が弧形を有し、上記アセンブリ部の両端は上記ケーシングに枢結され、上記円形又は弧形の一部分が上記ケーシングの表面外へ突出し、光源は、上記アセンブリ部の上記円形又は弧形において上記ケーシングの外へ突出する部分に配置されている。
【００１１】
本発明の好適例では、上記アセンブリ部は柱状であり、この柱状の軸方向は上記ケーシングの法線方向と平行である。
【００１２】
本発明の好適例では、上記電子装置は更に、上記キーボードモジュールに枢結されたディスプレイを含み、このディスプレイは、上記キーボードモジュールに対して開閉することができる。さらに、このディスプレイは、上記アセンブリ部に対応して配置された収容スロットを具え、このディスプレイが上記キーボードモジュールに対して閉じられると、この収容スロットを用いて上記アセンブリ部が収容される。
【００１３】
以上の説明によれば、本発明の電子装置は、キーボードモジュールの表面より高い所に配置されてキーボードモジュールを照らす光源モジュールを有し、これにより使用者がキーボードモジュールのキーを明確に識別することができ、従ってこの電子装置は使い勝手が良い。
【００１４】
本発明の上述した特徴及びその他の特徴と利点をより理解できるようにするため、幾つかの好適な実施例を、図面を参照しながら以下で詳細に説明する。
【００１５】
図面は、本発明をより理解するために提供するものであり、明細書に含まれ、その一部を構成する。図面は、本発明の実施例を示すとともに、その説明と共に、本発明の原理を説明する働きをする。
【図面の簡単な説明】
【００１６】
【図１】図１は、本発明の第１実施例による電子装置を示す概略図である。
【図２】図２は、図１の電子装置のA-A’線に沿った断面図である。
【図３】図３は、図２の光源モジュールがケーシング内に収容された状態を示す概略図である。
【図４】図４は、本発明の第２実施例による電子装置を示す概略図である。
【図５】図５は、図４の光源モジュールの断面図である。
【図６】図６は、光源モジュールの他の実施例を示す概略図である。
【図７】図７は、本発明の第３実施例による電子装置を示す概略図である。
【発明を実施するための形態】
【００１７】
（第１実施例）
図１は、本発明の第１実施例による電子装置を示す概略図である。図１を参照すると、電子装置100は、キーボードモジュール110、及びキーボードモジュール110上に配置された光源モジュール120を含み、キーボードモジュール110の表面112aの外へ突出した光源モジュール120の複数の光源122がキーボードモジュール110を照らす。
【００１８】
上記説明によれば、キーボードモジュール110はケーシング112を有し、ケーシング112は表面112aを有する。光源モジュール120は、ケーシング112に接続されたアセンブリ部124と光源122を含み、光源122は組立部124上に配置されている。本実施例では、光源122は、例えば発光ダイオード（LED）であり、他の実施例では、光源122は、スモールランプ、有機LED、又は実際の設計要求に応じた他の種類の光源とすることもできる。
【００１９】
図２は、図１の電子装置のA-A’線に沿った断面図であり、図３は、図２の光源モジュールがケーシングに収容された状態を示す概略図である。図２及び図３を参照すると、アセンブリ部124の断面は「Γ」字形を有する。使用者が電子装置100を充分に明るい環境で使用し、光源モジュール120を使用しないとき、光源モジュール120はケーシング112内に収容することができ、アセンブリ部124がケーシング112の表面112aと同じ色を有して、ケーシング112内に収容された光源モジュール120とケーシング112とを外見上一体化することができる。使用者が電子装置100を比較的暗い状況で使用し、光源モジュール120を使用するとき、使用者はアセンブリ部124をケーシング112に対して回転させることができ、これにより光源122をケーシング112の表面112aより高くして、キーボードモジュール110上の複数のキー114を照らすことができる。従って、使用者は各キー114を明確に識別することができ、電子装置100は、使用者にとって使い勝手が良くなる。
【００２０】
本実施例では、アセンブリ部124の断面は「Γ」字形を有するが、通常の当業者は、実際の要求に応じてアセンブリ部の形状を変更することができる。例えば、アセンブリ部124の断面は、「Ｌ」字形とすることもできる。
【００２１】
さらに、電子装置100はディスプレイ130を含むことができ、ディスプレイ130は、キーボードモジュール110に枢結され、これにより、ディスプレイ130は、キーボードモジュール110に対して開閉することができる。
【００２２】
（第２実施例）
本実施例の電子装置は、第１実施例の電子装置とおよそ同じであり、同一又は類似の参照番号は、同一又は類似の要素を表す。従って、これらの実施例間の相違のみを以下に説明する。
【００２３】
図４は、本発明の第２実施例による電子装置を示す概略図であり、図５は、図４の光源モジュールの断面図である。図４及び図５を参照すると、本実施例のアセンブリ部224の断面は円形を有し、アセンブリ部224の両端はケーシング212に枢結され、アセンブリ部224は、軸（図示せず）を介してケーシング212に対して回転することができ、この円形の一部はケーシング212の表面212a外へ突出する。光源222はアセンブリ部224上に配置されている。使用者は、ケーシング212に対してアセンブリ部224を回転させることにより、ケーシング212の表面212aに対する光源222の角度を調節して、光源222を最適な使用位置に調整することができる。
【００２４】
さらに、電子装置200のディスプレイ230は、アセンブリ部224に対応して配置された収容スロット232を有する。ディスプレイ230がキーボードモジュール210に対して閉じられると、収容スロット232は、ケーシング212の表面212a外へ突出したアセンブリ部224を収容することができる。
【００２５】
図６は、光源モジュールの他の実施例を示す概略図である。図６を参照すると、このような実施例では、光源モジュール200’のアセンブリ部224’の一部の断面は、弧形とすることができる。
【００２６】
（第３実施例）
本実施例の電子装置は、第１及び第２実施例の電子装置とおよそ同じであり、同一又は類似の参照番号は、同一又は類似の要素を表す。従って、これらの実施例間の相違のみを以下に説明する。
【００２７】
図７は、本発明の第３実施例による電子装置を示す概略図である。本実施例では、アセンブリ部324は柱状であり、柱状の軸方向Sは、ケーシング312の法線方向と平行である。さらに、ディスプレイ330がキーボードモジュール310に対して閉じられると、電子装置300のディスプレイ330の収容スロット332は、アセンブリ部324を収容することができる。
【００２８】
使用者が薄暗い環境で電子装置300を使用するとき、光源322がキーボードモジュール310を照らし、それにより使用者は、キーボードモジュール310の複数のキー314上の文字を識別することができる。さらに、アセンブリ部324は、軸（図示せず）に沿って左や右に向けることができ、それにより光源322とキーボードモジュール310のケーシング312の表面312aとの間の角度が調節される。
【００２９】
本実施例では、収容スロット332はディスプレイ330に配置されて、アセンブリ部324を収容する。他の実施例では、収容スロット332はディスプレイ330には配置されず、ディスプレイ330がキーボードモジュール310に対して閉じられると、アセンブリ部324は、ディスプレイ330によって押圧されてケーシング312内に押し込まれる。
【００３０】
要約すれば、本発明の電子装置は、キーボードモジュールを照らすことができる光源を具え、これにより、使用者は、薄暗い環境において電子装置を使用することができる。従って、この電子装置は使い勝手が良い。
【００３１】
本発明の範囲を逸脱することなしに、本発明の構造に種々の変更及び変形を加え得ることは、当業者にとって明らかである。以上を考慮すれば、本発明は、請求項及びその等価物の範囲に入る本発明の変更及び変形をカバーする、ということを意図する。
【符号の説明】
【００３２】
100、200、300  電子装置
110、210、310  キーボードモジュール
112、212、312  ケーシング
112a、212a、312a  表面
114、314  キー
120、200’  光源モジュール
122、222  光源
124、224、224’、324  アセンブリ部
130、230、330  ディスプレイ
232、332  収容スロット
S  軸方向
N  法線方向
【図１】
2011070624.tif 000003
【図２】
2011070624.tif 000004
【図３】
2011070624.tif 000005
【図４】
2011070624.tif 000006
【図５】
2011070624.tif 000007
【図６】
2011070624.tif 000008
【図７】
2011070624.tif 000009
【外国語明細書】
2011070624000001.pdf